(57)【要約】【課題】単数又は複数の情報提供側から提供された情報が不要となる状況では、当該情報を自動的に消去できる通信機器を提供することにある。【解決手段】無線通信機能を有する携帯端末などの通信機器（１０）が開示されている。通信機器（１０）は、相対的に近距離の情報提供装置２０から種別情報と関連付けされた情報を受信して、内部メモリ（１０７）に保存する。通信機器（１０）は、最新の受信時点から以前に受信した情報を、内部メモリ（１０７）から消去する関連データ消去部（１０６）を含む。【選択図】    図２
2004266508.tif 000002
【特許請求の範囲】
【請求項１】
無線通信により送信される情報を受信し、受信感度の測定機能を含むアンテナモジュールと、
前記アンテナモジュールで測定された受信感度に基づいて、前記受信情報の有効性を判定する有効判定手段と、
前記受信情報の種別を判定する種別判定手段と、
前記有効判定手段及び前記種別判定手段の判定結果に従って、当該受信情報を有効な情報として記憶する記憶手段と、
最新の受信情報より以前に受信した同一種別の情報を前記記憶手段から消去する情報消去手段と
を具備したことを特徴とする通信機器。
【請求項２】
前記有効判定手段は、前記情報の送信元装置が複数ある場合、前記受信感度に基づいて前記情報の送信元装置との距離を算出することによって、相対的に近距離の送信元装置から送信された情報を有効と判定することを特徴とする請求項１に記載の通信機器。
【請求項３】
有効な情報の種別を示す種別情報を保存する種別情報保存手段を含み、
前記種別判定手段は、前記アンテナモジュールで受信された情報の種別が前記種別情報で示す種別と一致する場合に、当該受信した情報が有効であると判定することを特徴とする請求項１に記載の通信機器。
【請求項４】
前記情報消去手段は、前記有効な情報が前記記憶手段に格納される前に、当該情報と同一種別の過去の情報を前記記憶手段から消去することを特徴とする請求項１に記載の通信機器。
【請求項５】
前記情報消去手段は、有効かつ受信可能な情報が前記記憶手段に格納された後に、当該情報と同一種別の過去の情報を前記記憶手段から消去することを特徴とする請求項１に記載の通信機器。
【請求項６】
前記有効判定手段は、前記情報の送信元装置が複数ある場合、前記受信感度に基づいて前記情報の送信元装置との距離を算出することによって、相対的に近距離の送信元装置から送信された情報を有効と判定し、
前記情報消去手段は、前記有効な情報が前記記憶手段に格納される前に、当該情報と同一種別の過去の情報を前記記憶手段から消去することを特徴とする請求項１に記載の通信機器。
【請求項７】
複数の場所に配置された複数の無線基地局から配信される特定種別の情報を受信して利用する機能を有する通信機器であって、
前記無線基地局の中で、相対的に近距離の無線基地局から配信される前記特定種別の情報のみを有効と判定する有効判定手段と、
前記有効判定手段により有効であると判定された前記特定種別の情報を格納する記憶手段と、
前記相対的に近距離の無線基地局以外の無線基地局から受信した前記特定種別の情報を前記記憶手段から消去する情報消去手段と
を具備したことを特徴とする通信機器。
【請求項８】
無線通信により送信される情報を受信し、受信感度の測定機能を含むアンテナモジュール及び当該情報を記憶する記憶手段を有する通信機器に適用する情報管理方法であって、
前記アンテナモジュールで測定された受信感度に基づいて、当該情報の有効性を判定するステップと、
前記受信情報の種別を判定するステップと、
最新の受信情報より以前に受信した同一種別の情報を前記記憶手段から消去するステップと
からなることを特徴とする情報管理方法。
【請求項９】
複数の場所に配置された複数の無線基地局から配信される特定種別の情報をアンテナモジュールで受信して利用する機能を有する通信機器に適用する情報管理方法であって、
前記アンテナモジュールで測定された受信感度に基づいて、前記無線基地局が複数ある場合、相対的に近距離の無線基地局から配信される前記特定種別の情報のみを有効と判定する有効判定ステップと、
前記有効判定ステップにより有効であると判定された前記特定種別の情報を格納するステップと、
前記有効な情報が前記記憶手段に格納される前に、当該情報と同一種別の過去の情報を前記記憶手段から消去する消去ステップと
からなることを特徴とする情報管理方法。
【請求項１０】
前記消去ステップは、前記有効判定ステップの判定結果に基づいて、前記相対的に近距離の無線基地局以外の無線基地局から受信した前記特定種別の情報を前記記憶手段から消去することを特徴とする請求項９に記載の情報管理方法。
【請求項１１】
前記消去ステップは、受信可能かつ有効であると判定された特定種別の情報を前記記憶手段に格納するときに、当該特定種別の情報の全てを前記記憶手段から検索して消去することを特徴とする請求項９に記載の情報管理方法。
【請求項１２】
予め設定されたエリア毎に配置された複数の無線デバイスから配信される識別コード情報をアンテナモジュールで受信し、当該識別コード情報に関係する情報処理機能を有する通信機器に適用する情報管理方法であって、
前記識別コード情報に対応する情報を前記アンテナモジュールで受信して、内部記憶装置に保存するステップと、
前記各無線デバイスの中で相対的に近距離の無線デバイスから受信した識別コード情報に対応する情報を、前記内部記憶装置から選択するステップと、
前記各無線デバイスからの前記識別コード情報の受信の可否を判定するステップと、
前記各無線デバイスからの前記識別コード情報の受信が不可能であるときに、前記内部記憶装置に保存されている前記識別コード情報に関係する全ての情報を消去するステップと
からなることを特徴とする情報管理方法。
【請求項１３】
前記識別コード情報は、前記各無線デバイスが配置されるエリアの位置を識別するための情報であることを特徴とする請求項１２に記載の情報管理方法。
【発明の詳細な説明】
【０００１】
【発明の属する技術分野】
本発明は、一般的には携帯型の通信機器に関し、特に、無線通信により受信した情報を管理するための情報管理方法に関する。
【０００２】
【従来の技術】
近年、携帯電話や携帯型情報端末（ＰＤＡ：ｐｅｒｓｏｎａｌ  ｄｉｇｉｔａｌ  ａｓｓｉｓｔａｎｔ）などの携帯型の通信機器が普及している。このような通信機器には、無線通信機能を利用して、情報提供システムから各種の情報を無線通信により受信し、当該情報をソフトウェアにより利用できる機能を備えたものがある。
【０００３】
具体的には、第１の先行技術として、地図情報を受信して利用する機能を備えた携帯端末が提案されている（例えば、特許文献１を参照）。また、第２の先行技術としては、提供情報のうち所望情報のみを効率よく取得できる情報通信システムが提案されている（例えば、特許文献２を参照）。
【０００４】
【特許文献１】
特開２００２−２３６７６３号公報（例えば要約）
【０００５】
【特許文献２】
特開２００２−２４２７３号公報（例えば要約）
第１の先行技術に関する携帯端末は、地図情報および利用許可位置情報を受信し、受信した利用許可位置情報により特定される有効範囲内に、当該携帯端末が属していないと判定したときは、受信した地図情報を削除する機能を備えている。
【０００６】
また、第２の先行技術に関するシステムは、メモリ内の受信情報について設定された消去条件が満たされるか否かを常時チェックし、必要とされている提供情報のみがメモリに残されるように、提供情報の消去を行う機能を備えている。
【０００７】
【発明が解決しようとする課題】
前述の第１の先行技術では、配信される地図情報は利用許可位置情報と関連付けられている。従って、地図情報を送信する側は、送信する地図情報に利用許可位置情報である制限情報を必ず付加する必要がある。また、地図情報の提供を受ける携帯端末は、複数の情報送信側が存在している場合に、同種の情報を受信したときの取り扱いついては検討されていない。
【０００８】
第２の先行技術では、情報の受信側で消去条件を生成し、消去条件が成立したら情報を消去する。従って、消去条件をユーザが設定することを想定している。また、複数の情報送信側が存在している場合には、第１の先行技術と同様に、同種の情報を受信したときの取り扱いついては検討されていない。
【０００９】
要するに、先行技術の方法では、携帯端末などの通信機器は、受信した情報を消去する場合に、特別の条件が要求されるため、結果として不要な情報が内部に蓄積する可能性が高くなる。
【００１０】
そこで、本発明の目的は、単数又は複数の情報提供側から提供された情報が不要となる状況では、当該情報を自動的に消去できる通信機器を提供することにある。
【００１１】
【課題を解決するための手段】
本発明の観点は、無線通信機能を有する携帯情報端末などの通信機器において、無線通信により受信した情報の中で、受信感度に基づいて有効でないと判定した情報を不要情報として自動的に消去する機能を有する通信機器に関する。
【００１２】
本発明の観点に従った通信機器は、無線通信により送信される情報を受信し、受信感度の測定機能を含むアンテナモジュールと、前記アンテナモジュールで測定された受信感度に基づいて、前記受信情報の有効性を判定する有効判定手段と、
前記受信情報の種別を判定する種別判定手段と、前記有効判定手段及び前記種別判定手段の判定結果に従って、当該受信情報を有効な情報として記憶する記憶手段と、最新の受信情報より以前に受信した同一種別の情報を前記記憶手段から消去する情報消去手段とを備えたものである。
【００１３】
このような構成の通信機器であれば、例えば複数の情報提供側から同一種別の情報を受信して利用する場合に、最新の情報以外の情報を全て消去する。また、最新の受信時点から以前に受信した情報の中で、有効から無効に変化した情報を消去する。従って、結果として通信機器を操作するユーザには不要な情報を、自動的に消去できる。
【００１４】
【発明の実施の形態】
以下図面を参照して、本発明の実施の形態を説明する。
【００１５】
図１は、本実施形態に関する情報提供システムの概要を説明するための図である。
【００１６】
本実施形態の通信機器は、無線通信機能を有する携帯端末１０を想定する。携帯端末１０は、図１に示すように、各情報提供装置に対応する複数の無線基地局２０Ａ〜２０Ｄから無線通信で配信される情報を受信して利用する機能を有する。
【００１７】
携帯端末１０は、ユーザの移動に伴なって、図１（Ａ）に示すように、各無線基地局２０Ａ〜２０Ｄでカバーするエリアを移動する状況を想定する（点線の矢印）。携帯端末１０は、相対的に近距離にある無線基地局２０Ａ〜２０Ｄから配信される情報を有効な情報として利用する。後述するように、携帯端末１０は、アンテナモジュールに含まれる受信感度（受信電波の強度）を測定する機能を使用して、相対的に近距離にある無線基地局２０Ａ〜２０Ｄを判定する（図２を参照）。
【００１８】
ここで、各情報提供装置から提供される情報として、例えば地図情報を想定する。この地図情報は、無線基地局２０Ａ〜２０Ｄがカバーする通信エリアに対応する情報とする。
【００１９】
具体的には、図１（Ａ）に示すように、携帯端末１０は、相対的に近距離の無線基地局２０Ａからの情報（地図情報）を有効な情報として受信して、内部メモリに格納する。携帯端末１０は、受信した地図情報をディスプレイ上に表示するような処理を実行する。これにより、ユーザは、提供された地図情報に基づいたエリアのみを有効範囲とする地図を参照することができる。
【００２０】
次に、図１（Ｂ）に示すように、ユーザの移動に伴なって、携帯端末１０は、相対的に近距離の例えば無線基地局２０Ｃからの情報（地図情報）を有効な情報として受信して内部メモリに格納する。これにより、ユーザは、移動したエリアのみを有効範囲とする地図を参照することができる。
【００２１】
ここで、携帯端末１０は、移動した後では、移動前に受信した情報（ここでは無線基地局２０Ａからの地図情報）については、通常では不要な情報となる。そこで、本実施形態では、携帯端末１０は、内部メモリから不要となる情報（移動前に受信した地図情報）を消去する。これにより、携帯端末１０の内部メモリの使用効率及び情報処理の効率を向上させることができる。また、ユーザは、携帯端末１０により、常に最新かつ有効な地図情報のみを利用することができる。
【００２２】
（携帯端末及び情報提供装置の構成と動作）
以下図２から図４を参照して、本実施形態の具体的構成および動作を説明する。
【００２３】
図２は、携帯端末１０及び情報提供装置２０のそれぞれの構成を示すブロック図である。
【００２４】
情報提供装置２０は、いわゆるサーバであり、提供情報入力部２００と、種別情報入力部２０１と、提供情報格納部２０２と、種別情報格納部２０３と、関連付け部２０４と、関連付けデータ格納部２０５と、関連付けデータ配信部２０６とを有する。情報提供装置２０は、ソフトウェア及び当該ソフトウェアを実行するＣＰＵからなる構成、またはメモリや記憶装置（ディスクドライブ）などのハードウェア構成により実現される。
【００２５】
提供情報入力部２００は、提供すべき情報（ここでは地図情報）を受け付けて、提供情報格納部２０２に格納する。種別情報入力部２０１は、提供すべき情報の種別（ここでは地図）を示す種別情報を受け付けて、種別情報格納部２０３に格納する。ここで、提供情報格納部２０２、種別情報格納部２０３及び関連付けデータ格納部２０５は、例えばハードディスクドライブである。
【００２６】
関連付け部２０４は、提供情報格納部２０２及び種別情報格納部２０３に格納された提供すべき情報（地図情報）とその種別情報を関連付けて、関連付けデータ格納部２０５に格納する。関連付けデータ配信部２０６は、関連付けデータ格納部２０５に格納された関連付け情報（地図情報とその種別情報）を、無線基地局（２０Ａ〜２０Ｄ）を介して配信する。
【００２７】
携帯端末１０は、無線基地局（２０Ａ〜２０Ｄ）から送信される電波を受信するためのアンテナモジュール１００と、関連付けデータ受付部１０１と、距離判定部１０２と、種別情報判定部１０３と、受信可能種別情報格納部１０４と、受信可能種別情報入力部１０５とを有する。
【００２８】
アンテナモジュール１００は、情報提供装置２０から配信された情報を電波で受信する受信機能と共に、当該受信電波の強度に相当する受信感度を測定する測定機能を含む。距離判定部１０２は、アンテナモジュール１００で測定された受信感度に基づいて、情報提供装置２０の無線基地局（２０Ａ〜２０Ｄ）との距離を判定する。具体的には、距離判定部１０２は、相対的に近距離の無線基地局（２０Ａ〜２０Ｄ）を特定するための判断情報を生成する。
【００２９】
関連付けデータ受付部１０１は、アンテナモジュール１００で受信された情報（関連付け情報）を受付けるか否かを判定する機能を有し、受付けた情報を関連付けデータ格納部１０７に格納する。関連付けデータ受付部１０１は、距離判定部１０２からの判定結果及び種別情報判定部１０３からの判定結果に基づいて、受信情報の受付け（正式の受信）を判定する。
【００３０】
即ち、関連付けデータ受付部１０１は、種別情報判定部１０３からの判定結果により、受信した関連付け情報に含まれる種別情報が予め設定された種別情報と一致している場合に受付けて、不一致の場合には受付けを拒否する。また、関連付けデータ受付部１０１は、同一種別情報の場合に、距離判定部１０２からの判定結果により、相対的に近距離の情報提供装置２０からの情報を受付ける。
【００３１】
種別情報判定部１０３は、種別情報入力部１０５により入力されて、受信可能種別情報格納部１０４に格納されている受信可能な種別情報と、関連付けデータ受付部１０１で暫定的に受付けた種別情報とを比較する。種別情報入力部１０５は、予めアンテナモジュール１００を介して外部から送信された種別情報またはユーザにより携帯端末１０の入力装置（図示せず）から入力された種別情報を受信可能種別情報格納部１０４に入力する。
【００３２】
さらに、携帯端末１０は、関連付けデータ消去部１０６及び情報提示部１０８を有する。情報提示部１０８は、関連付けデータ格納部１０７に格納された情報を、例えば携帯端末１０に設けられているディスプレイ上に表示するなどの処理を実行する。この情報提示部１０８により、ユーザは、ディスプレイ上で受信した地図情報を参照することができる。
【００３３】
関連付けデータ消去部１０６は、関連付けデータ格納部１０７に格納された情報の中で、不要であると判定された情報を消去する。具体的には、関連付けデータ消去部１０６は、距離判定部１０２からの判定結果により、相対的に近距離の情報提供装置２０からの情報を受付ける場合に、以前に受付けて関連付けデータ格納部１０７に格納された情報の全て（同一種別の情報）を消去する。距離判定部１０２は、アンテナモジュール１００で測定された受信感度に基づいて、情報提供装置２０（無線基地局２０Ａ〜２０Ｄ）との距離を常に監視している。
【００３４】
なお、携帯端末１０は、ソフトウェア、当該ソフトウェアを実行するＣＰＵ、及び内部メモリ（例えばフラッシュＥＥＰＲＯＭ）などの構成により実現される。関連付けデータ格納部１０７は、当該内部メモリに相当する構成要素である。
【００３５】
次に、図３及び図４を参照して、本実施形態の携帯端末１０の動作を説明する。
【００３６】
まず、図３のフローチャートを参照して、本実施形態に関する基本的動作を説明する。
【００３７】
携帯端末１０は、アンテナモジュール１００で電波を受信すると、関連付けデータ受付部１０１がその受信情報が有効か否か（受信可能か否か）を判定する（ステップＳ１，Ｓ２）。関連付けデータ受付部１０１は、前述したように、アンテナモジュール１００での受信感度の測定結果と、受信した関連付け情報に含まれる種別情報（地図情報であることを示す情報）とに基づいて判定する。
【００３８】
具体的には、関連付けデータ受付部１０１は、受信感度の測定結果から相対的に近距離の情報提供装置２０から配信された情報を有効とする。具体的には、携帯端末１０が図１（Ａ）に示すような位置であれば、無線基地局２０Ａに対応する情報提供装置２０から配信された情報を有効とする。なお、当然ながら、受信感度が所定レベル以下の場合には、関連付けデータ受付部１０１は、情報の内容とは無関係に受信不可とする。
【００３９】
また、関連付けデータ受付部１０１は、受信した関連付け情報に含まれる種別情報と、予め受信可能種別情報格納部１０４に格納されている種別情報（地図）とが不一致の場合には有効でないと判定する（ステップＳ２のＮＯ）。この場合には、携帯端末１０は、有効な情報を受信するまで別の処理を実行する。
【００４０】
関連付けデータ受付部１０１は、受信した地図情報を有効と判定して受付けると、当該情報を関連付けデータ格納部１０７に格納する（ステップＳ２のＹＥＳ，Ｓ４）。これにより、携帯端末１０の情報提示部１０８により、ユーザは、ディスプレイ上で受信した地図情報を参照することができる。
【００４１】
本実施形態では、関連付けデータ受付部１０１により有効な地図情報が受付けられる場合には、関連付けデータ消去部１０６は、今回の受信時点（最新の受信時点）より以前に受付けて関連付けデータ格納部１０７に格納された地図情報（同一種別の情報）を消去する（ステップＳ３）。例えば図１（Ｂ）に示すように、携帯端末１０が移動して、無線基地局２０Ｃに対応する情報提供装置２０から配信された情報を受付けた場合を想定する。この場合には、それより以前に受付けた無線基地局２０Ａに対応する情報提供装置２０から配信された情報を、内部メモリ１０７から消去する。
【００４２】
図４のフローチャートを参照して、本実施形態の携帯端末１０の具体的動作を説明する。
【００４３】
アンテナモジュール１００で電波を受信すると、関連付けデータ受付部１０１は、受信可能か否かの可否判断を実行する（ステップＳ１１，Ｓ１２）。関連付けデータ受付部１０１は、種別情報判定部１０３からの判定結果に基づいて、受信した関連付け情報に含まれる種別情報と、予め種別情報格納部１０４に格納されている種別情報とが不一致の場合には、受付けを拒否する（ステップＳ１３，Ｓ２０）。
【００４４】
関連付けデータ受付部１０１は、種別情報が一致した場合に、距離判定部１０２からの判定結果（受信感度）により、相対的に近距離の情報提供装置２０からの情報を有効として受付ける（ステップＳ１４）。当然ながら、相対的に長距離の情報提供装置２０からの情報は、同一種別であっても受付けを拒否する（ステップＳ２０）。
【００４５】
関連付けデータ受付部１０１は、受付けた情報（地図情報）を関連付けデータ格納部１０７に格納する（ステップＳ１５）。情報提示部１０８は、関連付けデータ格納部１０７に格納された情報を、例えば携帯端末１０に設けられているディスプレイ上に表示するなどの処理を実行する（ステップＳ１６）。この情報提示部１０８により、ユーザは、ディスプレイ上で受信した地図情報を参照することができる。
【００４６】
携帯端末１０は、関連付けデータ受付部１０１により有効な地図情報が受付けられる場合には、関連付けデータ消去部１０６が起動する（ステップＳ１７のＹＥＳ）。関連付けデータ消去部１０６は、関連付けデータ格納部１０７を検索し、今回の受信時点（最新の受信時点）より以前に受付けた地図情報を消去する（ステップＳ１８，Ｓ１９）。
【００４７】
以上要するに本実施形態によれば、予め設定された種別（例えば地図）の情報（地図情報）を有効として受信したときに、以前に受信して記憶している同一種別の情報（例えば異なるエリアの地図情報）を内部メモリ１０７から消去することができる。従って、ユーザの操作を必要とすることなく、携帯端末１０から不要になった情報を自動的に消去することができる。これにより、携帯端末１０は、ユーザには不要な情報を表示するような処理を省略することができる。また、携帯端末１０の内部メモリ１０７から不要な情報を消去できるため、内部メモリ１０７の使用効率を向上させることができる。
【００４８】
ここで、本実施形態の関連付けデータ消去部１０６は、距離判定部１０２からの判定結果（受信感度）により、相対的に近距離から長距離に変化した場合に受付けた情報を不要として、内部メモリ１０７から消去してもよい。この場合、相対的に近距離の情報提供装置との通信が確立された段階で、以前の情報を直ぐに消去するのではなく、しばらくの間保持し続け、ある程度距離が離れた段階で消去してもよい。
【００４９】
また、携帯端末１０は、各情報提供装置から受信した情報を直ぐに消去せずに、内部メモリに保持し、これらの複数の情報を、情報提供装置との距離に応じた重みを付けてディスプレイ上に表示する機能を有する構成でもよい。
【００５０】
さらに、携帯端末１０は、以前に受信した情報を直ぐに消去せずに、消去候補マークを付加して内部メモリ１０７に保持する。そして、携帯端末１０は、内部メモリ１０７の容量不足になった時点で、当該消去候補マークを付加した情報のみを消去する構成でもよい。
【００５１】
さらにまた、携帯端末１０は、相対的に近距離の情報提供装置との通信が確立された段階で、当該装置からの情報を受付けて内部メモリに格納せずに、内部メモリを検索する。そして、携帯端末１０は、内部メモリから当該情報を検索した場合には、その情報をそのまま使用する構成でもよい。ここで、当該情報に消去候補マークが付加されている場合には、消去候補マークを削除する。
【００５２】
なお、本実施形態の携帯端末１０は、通常の携帯電話やＰＤＡを想定したが、これに限ることなく、例えば携帯型ナビゲーションに相当するような専用端末でもよい。
【００５３】
（変形例）
図５及び図６は、本実施形態の変形例を説明するための図である。
【００５４】
本変形例は、例えば展示場などの限定されたエリアにおいて、本実施形態の無線基地局の代わりに、近距離の無線通信機能を有する無線デバイス（無線チップ）５４から送信される位置情報を受信する携帯端末１０に関する。本変形例の携帯端末１０の基本的構成は、図２に示すものと同様である。
【００５５】
無線デバイス５４は、例えば位置コードのような識別コード情報を発信する無線通信回路を内蔵した小型デバイスである。本変形例では、図５に示すように、複数のブース５３が設けられた展示会場５０を想定する。各ブース５３は、それぞれ異なる製品やサービスを提示するための展示エリアである。
【００５６】
無線デバイス５４は、各ブース５３毎に配置されており、各ブース５３の位置を識別するための識別コード情報（位置コード情報）を常に発信している。さらに、本変形例では、例えば展示会場５０の入り口５１の近傍に、各ブース５３の案内情報を配信する情報提供装置５２が設けられている。この情報提供装置５２は、基本的には図２に示すものと同様であるが、種別情報に相当する情報として前記の各ブース５３毎の位置コード情報を使用する。
【００５７】
以下主として図６のフローチャートを参照して、本変形例の動作を説明する。
【００５８】
まず、ユーザが展示会場５０の入り口５１から入るときに、携帯端末１０は情報提供装置５２から配信されている案内情報を受信する（ステップＳ１００）。このとき、携帯端末１０は、位置コード情報と関連付けされた案内情報を受信して、内部メモリに保存する。
【００５９】
次に、携帯端末１０は、展示会場５０の内部をユーザに伴なって移動すると、各ブース５３毎に配置された無線デバイス５４から送信される位置コード情報を受信する。このとき、携帯端末１０は、前述したように、アンテナモジュールで測定された受信感度に基づいて、相対的に近距離の無線デバイス５４から送信される位置コード情報を有効として受信する（ステップＳ１０１のＹＥＳ）。
【００６０】
携帯端末１０は、内部メモリから、受信した位置コード情報に対応する案内情報を検索する（ステップＳ１０２）。携帯端末１０は、当該案内情報をディスプレイ上に表示する処理を実行する（ステップＳ１０３）。
【００６１】
これにより、ユーザは、位置している最も近いブース５３の案内情報を、携帯端末１０のディスプレイ上で参照できる。従って、ユーザは、例えば当該案内情報により所望のブースであるか否かを判断し、関心がなければ別のブース５３に移動することができる。
【００６２】
一方、携帯端末１０は、位置コード情報と関連付けされた案内情報を受信した後に、当該位置コード情報を受信できない場合には、内部メモリに保存している案内情報を消去する（ステップＳ１０４のＹＥＳ，Ｓ１０５）。携帯端末１０は、前述したように、アンテナモジュールで測定された受信感度に基づいて、所定の受信レベル以下の場合には、当該位置コード情報を受信できないと判定する。
【００６３】
ここで、携帯端末１０は、例えば所定の時間内に、正常に位置コード情報を受信できない場合には、内部メモリに保存している案内情報を消去する処理に移行する。携帯端末１０は、一度内部メモリに保存している案内情報を消去しても、再度入り口５１近傍に移動して、情報提供装置５２から案内情報を受信することにより、当該案内情報を復元できる。
【００６４】
以上要するに本変形例の携帯端末１０は、例えば展示会場５０のエリアだけで有効な案内情報を受信して保存した後に、展示会場５０のエリアだけで有効な位置コード情報を受信できない場合には、当該案内情報を消去する。具体的には、ユーザが展示会場５０から出た場合には、位置コード情報を受信できないため、携帯端末１０は、自動的に当該案内情報を消去する。従って、展示会場５０の外では、不要となる当該案内情報を携帯端末１０から消去できる。ユーザが消去した案内情報を復元したい場合には、再度、展示会場５０で案内情報を受信すればよい。
【００６５】
なお、本変形例は、展示会場５０での案内情報と、位置コード情報とを関連付けした情報管理方法に関するものであるが、これに限ることなく、例えばテーマパーク等の限定されたエリアでの情報管理方法にも適用できる。また、本変形例では、携帯端末１０は、位置コード情報の受信ができない場合に、保存している案内情報を消去する構成であるが、これに限ることはない。例えば、展示会場５０の出口の近傍に設けられた情報提供装置から、案内情報の消去指示情報を受信したときに、携帯端末１０は、保存している案内情報を消去する構成でもよい。
【００６６】
【発明の効果】
以上詳述したように本発明によれば、単数又は複数の情報提供側から提供された情報が不要となる状況では、当該情報を自動的に消去できる通信機器を提供することができる。
【図面の簡単な説明】
【図１】本発明の実施形態に関する情報提供システムの概要を説明するための図。
【図２】本実施形態に関する通信機器と情報提供装置の要部を示すブロック図。
【図３】本実施形態に関する情報管理での手順を説明するためのフローチャート。
【図４】本実施形態に関する通信機器の情報処理の手順を説明するためのフローチャート。
【図５】本実施形態の変形例に関する概念図。
【図６】本変形例に関する通信機器の情報処理の手順を説明するためのフローチャート。
【符号の説明】
１０…携帯端末（通信機器）、２０…情報提供装置、２０Ａ〜２０Ｄ…無線基地局、１００…アンテナモジュール、１０１…関連付けデータ受付部、
１０２…距離判定部、１０３…種別情報判定部、１０４…受信可能種別情報格納部、１０５…受信可能種別情報入力部、１０６…関連付けデータ消去部、
１０７…関連付けデータ格納部、１０８…情報提示部、２００…提供情報入力部、２０１…種別情報入力部、２０２…提供情報格納部、２０３…種別情報格納部、２０４…関連付け部、２０５…関連付けデータ格納部、２０６…関連付けデータ配信部。
【図１】
2004266508.tif 000003
【図２】
2004266508.tif 000004
【図３】
2004266508.tif 000005
【図４】
2004266508.tif 000006
【図５】
2004266508.tif 000007
【図６】
2004266508.tif 000008